(57)【特許請求の範囲】
【請求項１】
便座の上面を開閉自在に覆う便蓋を備えたトイレ装置において、便蓋は２枚の蓋板材を互いに対向させた二重蓋構造を有しており、二重蓋構造内部に加振器を配置すると共に加振器を少なくとも一方の蓋板材の内面に取り付け、該少なくとも一方の蓋板材が音声発信板として機能し且つ二重蓋構造内部がバックキャビティとして機能するように構成したことを特徴とするトイレ装置。
【請求項２】
上記二重蓋構造内部を中空密閉構造とし、この中空密閉部分に加振器を配置したことを特徴とする請求項１記載のトイレ装置。
【請求項３】
上記加振器を一方の蓋板材に取り付け、該一方の蓋板材の肉厚を他方の蓋板材の肉厚よりも薄く形成したことを特徴とする請求項１又は２記載のトイレ装置。
【請求項４】
上記中空密閉部分に補強リブを架け渡したことを特徴とする請求項２又は３記載のトイレ装置。
【請求項５】
上記加振器を二重蓋構造内部の複数箇所に設置したことを特徴とする請求項１乃至４のいずれか一項に記載のトイレ装置。
【請求項６】
上記二重蓋構造の一部に外部と連通させるための音響ポートを開設したことを特徴とする請求項１又は３乃至５のいずれか一項に記載のトイレ装置。 
【発明の詳細な説明】
【技術分野】
【０００１】
本発明は、トイレ装置に関し、詳しくは便蓋にスピーカを組み込んだトイレ装置に関するものである。
【背景技術】
【０００２】
トイレ空間において、音楽を聞いたり、或いは使用時の音消しとして排水擬似音等の音を発生させるなど、スピーカー部をトイレ空間内に設置する場合が増えており、またスピーカー部の設置箇所として便蓋に設置されることが提案されている（例えば、特許文献１、特許文献２参照）。
【０００３】
ところが、従来のように便蓋２にスピーカー部２０を設置した場合、図５に示すように、便蓋２は一枚物であるのが一般的であるため、スピーカー部２０が外部に露出して見栄えを低下させてしまうという問題がある。また外観性を重視して、スピーカー部２０を小型にした場合は音質が低下し、特に低域周波数の音響を発生させることが困難になるという問題がある。
【特許文献１】特開平６−２６４４８４号公報
【特許文献２】特開２００６−２３３７５５号公報
【発明の開示】
【発明が解決しようとする課題】
【０００４】
本発明は上記の従来の問題点に鑑みて発明したものであって、便蓋に外観上の見栄え良く加振器を取り付けることができると共に、加振器の音質向上を図ることができるトイレ装置を提供することを課題とするものである。
【課題を解決するための手段】
【０００５】
前記課題を解決するために本発明は、便座１１の上面を開閉自在に覆う便蓋２を備えたトイレ装置において、便蓋２は２枚の蓋板材２Ａ,２Ｂを互いに対向させた二重蓋構造を有しており、二重蓋構造内部に加振器３を配置すると共に加振器３を少なくとも一方の蓋板材２Ａ（２Ｂ）の内面に取り付け、該少なくとも一方の蓋板材２Ａ（２Ｂ）が音声発信板４として機能し且つ二重蓋構造内部がバックキャビティとして機能するように構成したことを特徴としている。
【０００６】
このような構成とすることで、加振器３を外部に露出させることなく、二重蓋構造内部に隠蔽できるので、意匠性を向上させることができるようになり、また従来のように外観性を考慮して加振器３を小型化する必要がないため、トイレ装置１全体の見栄えを良くしながら音質向上を図ることが可能となる。
【０００７】
また、上記二重蓋構造内部を中空密閉構造とし、この中空密閉部分５に加振器３を配置するのが好ましく、この場合、加振器３を防水構造にする必要がなくなるため、コスト削減を図ることができる。
【０００８】
また、上記加振器３を一方の蓋板材２Ａに取り付け、該一方の蓋板材２Ａの肉厚ｄを他方の蓋板材２Ｂの肉厚Ｄ（＞ｄ）よりも薄く形成するのが好ましく、この場合、音声発信板４として機能する蓋板材２Ａを薄肉にすることで、加振器３の振動伝播の効率が良くなる。
【０００９】
また、上記中空密閉部分５に補強リブ６を架け渡すようにするのが好ましく、この場合、二重蓋構造内部に中空密閉部分５を設けた構造であっても補強リブ６によってその剛性を確保できるようになる。
【００１０】
また、上記加振器３を二重蓋構造内部の複数箇所に設置するのが好ましく、この場合、複数の加振器３によってステレオ感を増大させることができる。
【００１１】
また、上記便蓋２の一部に二重蓋構造内部と外部とを連通させるための音響ポート１５を設けるのが好ましく、この場合、蓋板材２Ａの振動により発せられた低域の音質を増長させることが可能となる。
【発明の効果】
【００１２】
本発明にあっては、二重蓋構造内部に加振器を収納すると共に、二重蓋構造を構成する少なくとも一方の蓋板材が音声発信板として機能し且つ二重蓋構造内部がバックキャビティとして機能することにより、加振器を外部に露出させることなく、便蓋から音楽や、使用時の音消しとして排水擬似音等の音を発生させることができるものであり、しかも、従来のように外観性を配慮して加振器を小型化する必要もないため、トイレ装置全体の見栄えを良くしながら音質向上を図ることができる効果を奏するものである。
【発明を実施するための最良の形態】
【００１３】
以下、本発明を添付図面に示す実施形態に基いて説明する。
【００１４】
図１は、請求項１〜４に対応する実施形態であり、便座１１の上面を開閉自在に覆う便蓋２を備えた洋式のトイレ装置１において、便蓋２は２枚の蓋板材２Ａ,２Ｂ間に中空密閉部分５が形成される二重蓋構造を有していると共に、少なくとも一方の蓋板材２Ａ（又は２Ｂ）の内面に加振器３を外部に露出しないように取り付けたものである。なお図１（ａ）中の２１は便器１０の側面を覆うスカート部を示し、図１（ｂ）中の矢印Ｂは便蓋２の回動方向、Ｃは音の発生方向を示す。
【００１５】
便蓋２を構成する２枚の蓋板材２Ａ,２Ｂは例えば樹脂材料で形成されている。本例では、２枚の蓋板材２Ａ,２Ｂと回転軸１２と補強リブ６とが一体に形成されている。便蓋２の基端部は、便器１０の後方上部の左右両側に回転自在に軸支される回転軸１２が設けられ、回転軸１２を中心として便蓋２が上下に回動自在となっている。また便蓋２の基端部以外の外周部には額縁状の周囲リブ１３が設けられており、この周囲リブ１３により中空密閉部分５が閉鎖され且つ補強されるようになっている。
【００１６】
上記二重蓋構造内部は中空密閉構造とされ、バックキャビティとして機能する中空密閉部分５に加振器３が配置されている。本例では、便蓋２の起立姿勢で前側に位置する蓋板材２Ａ（以下、「一方の蓋板材２Ａ」と称する）の内面に加振器３を取り付けており、該一方の蓋板材２Ａをスピーカーの音声発信板４（振動部／発音部）として機能させるものである。
【００１７】
なお加振器３としては、例えば、電磁誘導を利用したダイナミック型アクチュエータ、超磁歪材料を用いて広帯域で超音波を発生する超磁歪型アクチュエータ、圧電素子が取り付けられた音声発信板をケース内に設けた圧電型アクチュエータ等、スピーカーの原理を応用したものであればよく、特に限定されない。
【００１８】
また、加振器３が取り付けられる一方の蓋板材２Ａを、長期に亙って安定した振動特性が得られる高耐張力の合成樹脂材或いは合成繊維で形成してもよい。さらに加振器３の振動を効率良く伝播させるために、一方の蓋板材２Ａの肉厚ｄを他方の蓋板材２Ｂよりも肉厚Ｄ（＞ｄ）を薄く形成してある。さらに便蓋２の剛性を高めるために、二重蓋構造内部の中空密閉部分５には複数本の補強リブ６が架け渡されている。
【００１９】
しかして、便蓋２を２枚の蓋板材２Ａ,２Ｂからなる二重蓋構造とし、一方の蓋板材２Ａの内面に加振器３を取り付けたことにより、加振器３を外部へ露出しないようにして取り付け可能となり、意匠性を向上させることができるものであり、また加振器３は外部から見えないため従来のように外観性を配慮して加振器３を小型化する必要もなく、この結果、トイレ装置１全体の見栄えを良くしながら音質向上を図ることが可能となる。そのうえ、そのうえ一方の蓋板材２Ａと加振器３とで薄型スピーカーを実現できるものであり、また着座姿勢において便蓋２が起立姿勢となった状態で前側に位置する一方の蓋板材２Ａが音声発信板４として機能するので、スピーカー音が耳の位置近くになり、小音量でも明瞭に聞きとりやすくなる利点もある。
【００２０】
また本例では、二重蓋構造内部に中空密閉部分５を設け、この中空密閉部分５に加振器３を配置しているので、加振器３を防水構造にする必要がなくなるため、コスト削減を図ることができる。
【００２１】
また本例では、加振器３を一方の蓋板材２Ａの内面に取り付けると共に、一方の蓋板材２Ａの肉厚ｄを、加振器３が取り付けられない他方の蓋板材２Ｂの肉厚Ｄ（＞ｄ）よりも薄く形成しているので、一方の蓋板材２Ａが薄肉化して加振器３の振動伝播の効率が良くなり、音質向上を一層図ることが可能となり、またこのように一方の蓋板材２Ａを薄くしても、他方の蓋板材２Ｂの肉厚Ｄを厚くし且つ中空密閉部分５に補強リブ６を架け渡すことによって、中空密閉部分５の剛性を十分に確保することが可能である。
【００２２】
図２は請求項５に対応する実施形態であり、加振器３を二重蓋構造内部の複数箇所に設置した場合の一例を示している。本例では、２個（或いは２個以上でも可）の加振器３を一方の蓋板材２Ａの複数箇所に取り付けている。また中空密閉部分５に掛け渡される補強リブ６の一例して、図２（ａ）は格子状を例示し、図２（ｂ）は縞状を例示している。しかして、複数の加振器３を設置することで音質の向上を一層図ることができると共に、ステレオ感を増大させることが可能となる。さらに補強リブ６が中空密閉部分５を仕切る形となり、加振器３が取り付けられる蓋板材２Ａ全体の振動／発音機能を高めることができる利点もある。
【００２３】
図３は請求項６に対応する実施形態である。先ず図３（ａ）は、加振器３の振動部３ａを一方の蓋板材２Ａの内面にネジ１７で固定する固定手段８を設けた場合の一例を示している。本例では、一方の蓋板材２Ａの内面からネジ固定部となる突出部８ａを突設し、固定部材８ｂにより加振器３を覆うと共に、固定部材８ｂと加振器３との接触面にビビリ音抑止用の緩衝材１８を介在した状態で、固定部材８ｂの固定用フランジ１９をネジ１７にて突出部８ａにネジ固定することで、加振器３の振動部３ａが蓋板材２Ａに押し付け固定されるようになる。これにより、蓋板材２Ａに対する加振器３の位置決め精度と機械的強度を向上させることができる。
【００２４】
図３（ｂ）は、加振器３の振動部３ａを係合手段９により係合させた場合の一例を示している。本例では、加振器３と係合することが可能な突出部９ａを設けた固定部材１６のベース１６ａを一方の蓋板材２Ａに接着固定すると共に、固定部材１６に設けた爪９ｂを加振器３の凹部９ｃに圧入嵌合により係合させるものである。この場合、固定部材１６のベース１６ａを薄肉にすることで振動の伝播性を良好に保つことが可能となる。なお圧入嵌合方式以外に、例えば、ネジのように加振器３を回して固定部材１６の爪９ｂに対してネジリ嵌合させる方式であってもよい。なお、加振器３を係合手段９を用いずに、一方の蓋板材２Ａに対して直接接着してもよい。この場合、蓋板材２Ａの内面に取り付けられる加振器３に対して外部から力がかかることがないため、接着剤７による接合のみでも十分な取り付け強度を確保できるものとなる。
【００２５】
図４は請求項７と対応する実施形態であり、便蓋２の一部に二重蓋構造内部の中空密閉部分５と外部とを連通させる音響ポート１５を設けた場合の一例を示している。本例では、図４（ｂ）に示すように、便蓋２の周囲リブ１３の一部に、二重蓋構造内部の中空密閉部分５（バックキャビティ）と外部とを連通させるための孔を開設し、この孔を音響ポート１５として機能させるようにしたバスレフ方式の一例を示している。なお音響ポート１５の形状（長さ、断面積）は、中空密閉部分５の容積（一方の蓋板材２Ａの背面容積）、増長したい音の周波数に基づき決定されるものである。また、音響ポート１５の取り付け位置は、中空密閉部分５と外部とが連通可能な部位であればよく、図４（ａ）に示す便蓋２の上部Ｐ１、左右両側Ｐ２,Ｐ３、底部Ｐ４のいずれかが選ばれる。この音響ポート１５により音響性能を向上させることができると共に、蓋板材２Ａの振動により発せられた低域の音質を増長させることが可能となる。
【００２６】
なお、前記図１〜図４の各実施形態では、便蓋２の起立姿勢で前側に位置する一方の蓋板材２Ａの内面に加振器３を取り付けた場合を説明したが、これに限らず、蓋板材２Ａの背後に位置する他方の蓋板材２Ｂの内面に加振器３を取り付け、この蓋板材２Ｂを音声発信板４として機能させる構成とすることも可能である。さらに、両方の蓋板材２Ａ,２Ｂの各内面にそれぞれ加振器３を取り付けることで、両方の蓋板材２Ａ,２Ｂをそれぞれ音声発信板４として機能させる構成とすることも可能である。
【図面の簡単な説明】
【００２７】
【図１】（ａ）は本発明の一実施形態の加振器を内蔵した便蓋を備えるトイレ装置の斜視図であり、（ｂ）は（ａ）のＡ−Ａ線断面図である。
【図２】他の実施形態であり、（ａ）は同上の二重蓋構造内部の格子状の補強リブ間の２箇所に加振器を設置した場合の説明図であり、（ｂ）は縞状の補強リブ間の２箇所に加振器を設置した場合の説明図である。
【図３】更に他の実施形態であり、（ａ）は加振器の振動部をネジで一方の蓋板材の内面に固定する場合の説明図、（ｂ）は同上の加振器の振動部に係合する係合部材を接着剤にて一方の蓋板材の内面に接合した場合の説明図である。
【図４】更に他の実施形態であり、（ａ）は便蓋における音響ポートを設ける位置を説明する正面図であり、（ｂ）は音響ポートを設けた状態を説明する側面断面図である。
【図５】（ａ）（ｂ）は従来例の説明図である。
【符号の説明】
【００２８】
１  トイレ装置
２  便蓋
２Ａ,２Ｂ  蓋板材
３  加振器
３ａ  振動部
４  音声発信板
５  中空密閉部分
６  補強リブ
７  接着剤
８  固定手段
９  係合手段
１０  便器
１１  便座
１５  音響ポート
ｄ,Ｄ  蓋板材の肉厚
【図１】
0004936182.tif 000002
【図２】
0004936182.tif 000003
【図３】
0004936182.tif 000004
【図４】
0004936182.tif 000005
【図５】
0004936182.tif 000006